(57)【特許請求の範囲】
【請求項１】
第１ターミナルと第２ターミナルとを接続するネットワークを用いるデータ送信方法であって、前記第２ターミナルは、前記第１ターミナルに対し通信回線を介して利用可能であって、前記データは、音声信号、ビデオ信号及び他のデータ信号のうち少なくとも一つであって、
前記データ送信方法は、
前記ネットワーク上で前記第１ターミナルと前記第２ターミナルとの間の接続を確立する工程と、
前記ネットワークを用いて前記第１ターミナルから前記第２ターミナルへ第１コーデックでコード化されたデータを送信する工程と、
前記第２ターミナルのデータ復号機能の機能情報を送信する工程と、
を備え、ここで前記第２ターミナルは前記ネットワークを用いて前記第１ターミナルへ前記機能情報を送信し、前記第１ターミナルは前記第２ターミナルから前記機能情報を受信する前に前記第１コーデックでコード化された前記データの送信を開始し、
前記データ送信方法はさらに、
前記第１コーデックでコード化された前記データが前記第２ターミナルの前記データ復号機能に適合しているかどうかの第１決定を行う工程を備え、ここで前記第１ターミナルが前記第２ターミナルからの前記機能情報に基づいて前記第１決定を行い、
前記データ送信方法はさらに、
前記第１コーデックでコード化された前記データが前記第２ターミナルの前記データ復号機能に適合していないことを前記第１決定が示す場合に、前記第１コーデックでコード化された前記データの送信を終了させる工程、を備えることを特徴とするデータ送信方法。
【請求項２】
前記第１コーデックでコード化された前記データが前記第２ターミナルの前記データ復号機能に適合しているかどうかの第２決定を行う工程をさらに備え、ここで前記第２ターミナルが前記第２決定を行い、
前記第１コーデックでコード化された前記データを表示する工程をさらに備え、ここで前記第１コーデックのデータが前記第２ターミナルの前記データ復号機能に適合することを前記第２決定が示す場合、前記第２ターミナルが前記第１コーデックでコード化された前記データを表示することを特徴とする請求項１記載のデータ送信方法。
【請求項３】
前記ネットワークを用いて前記第１ターミナルから前記第２ターミナルへ第２コーデックでコード化されたデータを送信する工程をさらに備え、ここで前記第１コーデックでコード化された前記データが前記第２ターミナルの前記データ復号機能に適合しないことを前記第１決定が示す場合、前記第１ターミナルが前記第２コーデックでコード化された前記データを送信し、前記第１ターミナルが前記第２ターミナルからの前記機能情報に基づいて前記第２コーデックを選択し、
前記第２ターミナル上に前記第２コーデックでコード化された前記データを表示する工程をさらに備えることを特徴とする請求項１記載のデータ送信方法。
【請求項４】
前記機能情報が抽象構文記法１コード化表示法を用いて前記第２ターミナルの前記データ復号機能を示すことを特徴とする請求項１記載のデータ送信方法。
【請求項５】
前記機能情報が機能指標を用いて前記第２ターミナルの前記データ復号機能を示し、
前記機能指標の定義は前記第１ターミナルと前記第２ターミナルとの間の通信の前に前記第１ターミナル及び前記第２ターミナルに知られており、
前記機能指標の夫々の定義は前記機能指標とコーデック及びコンフィギュレーション記述とを関連付けし、
前記第２ターミナルが、前記機能指標の一つと関連付けされた前記コーデックと前記コンフィギュレーション記述を用いてコード化されたデータを復号する機能があることを、前記機能情報における前記機能指標の一つの存在により示されることを特徴とする請求項１記載のデータ送信方法。
【請求項６】
前記第１ターミナルがモバイルフォンであることを特徴とする請求項１記載のデータ送信方法。
【請求項７】
前記第１コーデックでコード化された前記データが、Ｈ．３２４論理チャネルを用いて前記第１ターミナルから前記第２ターミナルへ送信されることを特徴とする請求項１記載のデータ送信方法。
【請求項８】
前記第１コーデックでコード化された前記データが、プロトコルを運ぶためのストリームに基づく抽象構文記法１であることを特徴とする請求項１記載のデータ送信方法。
【請求項９】
ネットワークに接続された第１ターミナルと第２ターミナルとの間にチャネルを確立する方法であって、
前記第１ターミナルと第２ターミナルは、Ｈ．３２４仕様で定義されたプロトコルに基づいて通信し、
前記第２ターミナルは前記第１ターミナルに対して通信回線を介して利用可能であって、
前記方法は、
前記ネットワーク上で前記第１ターミナルと前記第２ターミナルとの間のデジタルベアラ接続を確立する工程と、
前記第１ターミナルから前記第２ターミナルへデータを送信するための第１コーデックを選択する工程と、を備え、ここで前記第１ターミナルが前記第１ターミナルと前記第２ターミナルとの間の通信開始の前に利用可能な所定のチャネルのデジタルテーブルから前記第１コーデックを選択し、前記所定のチャネルの前記デジタルテーブルが入力リストを有し、ここで前記入力の夫々は指標、コーデック及びコンフィギュレーションを有し、前記入力リストは音声又はビデオコーデックに相当する少なくとも一つの入力及びＨ．３２４論理チャネルについてネゴシエートする機能のあるプロトコルを運ぶためのストリームに相当する少なくとも一つの入力を有し、
前記方法はさらに、前記デジタルベアラ接続を用いて前記第１ターミナルから前記第２ターミナルへ第１コード化データを送信する工程を備え、ここで前記第１コード化データは前記第１コーデックを用いてコード化され、前記第１ターミナルは受信された前記第２ターミナルの復号機能を有することなしに前記第１コード化データの送信を開始し、
前記方法はさらに、前記デジタルベアラ接続を用いて前記第２ターミナルから前記第１ターミナルへ前記第２ターミナルの前記復号機能を送信する工程と、
前記第２ターミナルが前記第１コード化データを復号する機能があるかどうかの第１決定を行う工程と、を備え、ここで前記第１ターミナルは前記第２ターミナルの前記復号機能に基づいて前記第１決定を行い、
前記方法はさらに、前記第２ターミナルが前記第１コード化データを復号する機能があるかどうかの第２決定を行う工程を備え、ここで前記第２ターミナルが前記第２決定を行い、
前記方法はさらに、前記第１ターミナルから前記第２ターミナルへ前記第１コード化データを転送するために用いられる第１チャネルを確立する工程を備え、ここで前記第２ターミナルが前記第１コード化データを復号する機能がある場合に前記第１チャネルが確立され、前記第２ターミナルが前記第１コード化データを復号する機能がない場合には前記第１チャネルが確立されず、前記第１チャネルが前記第１決定に基づいて確立されるかどうかを前記第１ターミナルが認識し、前記第１チャネルが前記第２決定に基づいて確立されるかどうかを前記第２ターミナルが認識することを特徴とする方法。
【請求項１０】
前記指標が多重コードであることを特徴とする請求項９記載の方法。
【請求項１１】
前記第２ターミナルが、前記第１コーデック及び所定のチャネルの前記デジタルテーブルにおけるコンフィギュレーションに関連付けられた前記指標に基づいて、前記第１コード化データの送信において用いられる前記第１コーデック及び前記コンフィギュレーションを識別することを特徴とする請求項９記載の方法。
【請求項１２】
前記第１チャネルがＨ．３２４論理チャネルであることを特徴とする請求項９記載の方法。
【請求項１３】
前記第１チャネルが音声チャネル又はビデオチャネルであることを特徴とする請求項９記載の方法。
【請求項１４】
前記第１チャネルがＨ．２４５メッセージを伝えることを特徴とする請求項９記載の方法。
【請求項１５】
前記第１チャネルが、Ｈ．３２４論理チャネルについてネゴシエートする機能のある、プロトコルを運ぶためのストリームであって、前記第１コード化データが抽象構文記法１を用いてコード化されることを特徴とする請求項９記載の方法。
【請求項１６】
前記第１コード化データが、前記第１コード化データ及び前記第１ターミナルの復号機能を有する制御／送信メッセージで送られることを特徴とする請求項９記載の方法。
【請求項１７】
前記第２ターミナルの前記復号機能が、Ｈ．２４５ターミナル機能セットメッセージで前記第２ターミナルから前記第１ターミナルへ送信されることを特徴とする請求項９記載の方法。
【請求項１８】
前記第１コード化データの送信を終了させる工程をさらに備え、ここで第１ターミナルが前記第１決定に基づいて前記第１コード化データの送信を終了させ、
前記第１ターミナルから前記第２ターミナルへ前記データを送信するための第２コーデックを選択する工程をさらに備え、ここで前記第１ターミナルが前記第２ターミナルの前記復号機能に基づいて所定のチャネルの前記デジタルテーブルから前記第２コーデックを選択し、前記第１コーデックと前記第２コーデックが同タイプのデータを復号するのに適応しており、
前記デジタルベアラ接続を用いて前記第１ターミナルから前記第２ターミナルへ第２コード化データを送信する工程をさらに備え、ここで前記第２コード化データが前記第２コーデックを用いてコード化され、
前記第１ターミナルから前記第２ターミナルへ前記第２コード化データを転送するために用いられる第２チャネルを確立する工程をさらに備え、ここで前記第２ターミナルが所定のチャネルの前記デジタルテーブルを用いて前記第２チャネルの前記確立を認識する、ことを特徴とする請求項９記載の方法。
【請求項１９】
前記第１コード化データの送信を終了させる工程をさらに備え、ここで前記第１ターミナルが前記第１決定に基づいて前記第１コード化データの前記送信を終了させ、
前記第１ターミナルから前記第２ターミナルへ前記データを送信するための第２コーデックを選択する工程をさらに備え、ここで前記第１ターミナルが前記第２ターミナルの前記復号機能に基づいて前記第２コーデックを選択し、前記第１コーデックと前記第２コーデックが同タイプのデータを復号するのに適応しており、
前記第１ターミナルから前記第２ターミナルへ前記第２コード化データを転送するために用いられる第２チャネルを確立する工程をさらに備え、ここで前記第２チャネルがＨ．２４５メッセージを用いて前記第１ターミナルと前記第２ターミナルとの間でネゴシエートされる、ことを特徴とする請求項９記載の方法。
【請求項２０】
前記第１ターミナルが、前記デジタルベアラ接続の前記確立とほぼ同時に前記第１コード化データの送信を開始することを特徴とする請求項９記載の方法。
【請求項２１】
前記第１ターミナルが、前記第１コード化データの送信における標準的なスタッフィングシーケンスのブロックをインターリーブすることを特徴とする請求項９記載の方法。
【請求項２２】
前記第１ターミナルが、Ｈ．３２４レベルセットアップ手順の完了の前に前記第１コード化データの送信を開始することを特徴とする請求項９記載の方法。
【請求項２３】
前記第２ターミナルが、所定のチャネルの前記デジタルテーブルに基づいてチャネルを受信する機能のないレガシーターミナルであることを決定する工程と、
前記第１コード化データの送信を終了させる工程と、をさらに備え、ここで前記第１ターミナルが、前記第２ターミナルがレガシーターミナルであるという決定に基づいて前記第１コード化データの前記送信を終了させ、
前記第１ターミナルと前記第２ターミナルとの間で交換されたＨ．２４５メッセージを用いて前記第１ターミナルと前記第２ターミナルとの間の１以上のＨ．３２４論理チャネルについてネゴシエートする工程をさらに備え、ここで前記１以上のＨ．３２４論理チャネルのネゴシエーションが所定のチャネルの前記デジタルテーブルに基づいていない、ことを特徴とする請求項９記載の方法。
【請求項２４】
前記第２ターミナルが前記第２ターミナルから前記第１ターミナルへ送られるＨ．２４５ターミナル機能セットメッセージの受信に基づくレガシーターミナルであることを、前記第１ターミナルが決定することを特徴とする請求項２３記載の方法。
【請求項２５】
前記第２ターミナルが前記第２ターミナルから前記第１ターミナルへ送られる標準スタッフィングシーケンスの受信に基づくレガシーターミナルであることを、前記第１ターミナルが決定することを特徴とする請求項２３記載の方法。
【発明の詳細な説明】
【技術分野】
【０００１】
本出願は、米国仮出願第６０／６９８１０７号（２００５年７月１１日出願）の利益を請求する出願である。
【０００２】
本発明は、概してデータ転送システム及び方法に関する。本発明は、特に、第１ターミナルから第２ターミナルへのデータ転送のシステム及び方法に関する。前記データは、前記第１ターミナルと第２ターミナルが接続した後に、第１ターミナルから第２ターミナルへ転送されてもよい。第１ターミナルは、この時第１ターミナルと第２ターミナルの機能及び／又は指令を交換することなく、第１コーデックのデータを第２ターミナルへ転送及び／又は送信してもよい。第２ターミナルの機能により、前記第１コーデックのデータはサポートされなくとも、処理されなくとも、及び／又は許容されなくともよい。第１ターミナルと第２ターミナルの機能及び／又は指令は、第１ターミナル及び第２ターミナルの間での転送及び／又は送信により交換されうる。
【０００３】
第１ターミナルは、第２コーデックのデータを、第２ターミナルへ転送及び／又は送信してもよい。この転送及び／又は送信は、第１ターミナル及び／又は第２ターミナルの機能及び指令を交換することに基づき行われる。第２コーデックのデータは、第２ターミナルによりサポートされ、処理され、許容され、及び／又は表示されてもよい。結果として、前記システム及び方法において、第１ターミナルと第２ターミナルの間のコール・セットアップを構築して、第１コーデック及び／又は第２コーデックのデータが転送される。
【背景技術】
【０００４】
一般的に知られる、例えば、第１ターミナル及び第２ターミナル等のモバイル機器はテレビ会議を実施することができ、これにより、第１ターミナル及び第２ターミナルの間で、３Ｇ−３２４Ｍ標準プロトコルを介して、マルチメディア或いは他のデータを通信及び／又は送信することができる。このようなデータは、音声、ビデオ及び／又は他の種類のデータから構成されてもよい。もともとは、３Ｇ−３２４Ｍプロトコル付きのモバイル機器は、例えば、３Ｇモバイル電話機、携帯端末（PDA: Personal Digital Assistant）、ラップトップ型コンピュータ及び／又はこれらの類似物とされている。第１ターミナルは、テレビ会議の間に、１以上の幾つかの可能なコーデック形式のデータを、第２ターミナルへ送信してもよい。第１ターミナルから第２ターミナルへデータを送信する前に、第１メッセージは、第１ターミナルと第２ターミナルの間で交換される必要がある。この第１メッセージは、ターミナル機能セット（TCS: Terminal Capability Set）メッセージであり、また第２ターミナルから第１ターミナルへ送られるメッセージである。このＴＣＳメッセージは、制御プロトコルのバージョン（例えば、第２ターミナル及び／又は第２ターミナルの機能により使用されるＨ．２４５）を識別する。第１ターミナルは、ＴＣＳメッセージから、制御プロトコルのバージョン及び／又は第２ターミナルの機能を判断する。結果として、第１ターミナルは、第２ターミナルへデータを送信するときに、どのコーデックあるいは複数のコーデックを使用すべきか判断する。
【０００５】
第２メッセージは、第１ターミナルと第２ターミナルの間で交換される必要がある。この交換は、第１ターミナルから第２ターミナルへのデータの送信の前に行われる。第２メッセージはマスタ／スレーブ決定（MSD: Master/slave determination）メッセージであってもよく、ＭＳＤメッセージは、第２ターミナルから第１ターミナルへ送信される。この第２メッセージからの情報は、後のチャネル・ネゴシエーションの一部として使用され、これにより、第１ターミナルから第２ターミナルへデータを送信するのに、どのコーデック又は複数のコーデックを使用するべきか判断される。例えば開放型論理チャネル（OLC: Open Logical Channel）等の送信チャネルは、第１ターミナルと第２ターミナルの間で構築され、これは、第１ターミナルが第１メッセージと第２メッセージを受信及び／又は処理した後になされる。結果として、送信チャネルを介して、また第２ターミナルへ許容可能なコーデックを使用することにより、第１コーデック又は第２コーデックのデータが第１ターミナルから第２ターミナルへ送信される。
【０００６】
しかしながら、第１ターミナルは、第２ターミナルから、第１メッセージ及び第２メッセージを受信しない限り、第２ターミナルへデータを送信しない。更に言えば、第１ターミナルが、第２ターミナルからの第１メッセージ及び第２メッセージを受信する、許容する、及び／又は処理するまでは、第１ターミナルと第２ターミナルの間の送信チャネルは構築されない。更に、第１ターミナルから第２ターミナルへのデータの送信を完了するためのセットアップ時間の持続時間を延長することができる。この延長は、第２ターミナルから第１ターミナルへの第１メッセージ及び第２メッセージの送信にかかる持続時間によって及び／又は基づきなされる。或いは、この延長は、第１ターミナルと第２ターミナルの間の特別な送信チャネルを交渉及び構築するのにかかる持続時間によって及び／又は基づきなされる。ターミナルにおいて一般的に使用される機能及び指令の最初の交換により、マルチメディア及び他の貴重なデータが交換される前のコール・セットアップの時間が非常に長くなる。
【０００７】
ターミナル（１２ａ）及び（１２ｂ）のターミナルの機能、優先傾向、及び指令が圧縮されてもよい。これにより、ターミナル（１２ａ）及び（１２ｂ）間において、単一のメッセージで又は一連のパイプライン型メッセージで、交換され得る。尚、前記単一のメッセージ及びパイプライン型メッセージは、遠隔地からの相互作用も、又は認証も必要としない。この場合において、メディアがターミナル（１２ａ）及び（１２ｂ）の間で交換される前の持続時間は、前記ターミナル間の前記メッセージが運ばれるために必要な時間に依存する。前記メッセージは、通常は、信頼できる方法により送られ、不都合なチャネルの状態やチャネル・エラーにより、配信時間が延びる可能性があり、結果として、マルチメディア或いは他の貴重なデータの交換が大幅に遅れることとなる。
【発明の開示】
【発明が解決しようとする課題】
【０００８】
従って、第１ターミナルから第２ターミナルへのデータの送信システム及び方法であって、機能と指令の、最初の交換までの待機時間をなくしたシステム及び方法の創出が望まれてきた。更に、第１ターミナルから第２ターミナルへデータを送信するためのシステム及び方法であって、価値のあるデータが送信されて受け取られるまでに要する時間を最小限に抑えたシステム及び方法の創出が望まれている。
【課題を解決するための手段】
【０００９】
本発明はデータ転送のシステム及び方法に関する。より詳しくは、本発明は第１ターミナル及び第２ターミナル間のデータ転送のシステム及び方法に関する。前記第１ターミナルは、前記第２ターミナルへデータを送信、転送及び／又は発信する。前記データは、前記第１ターミナル及び前記第２ターミナル間に接続を確立した上で送信される。前記第１ターミナル及び前記第２ターミナル間の接続は、一つ以上のチャネルを有する。前記チャネルにより、前記第１ターミナルから前記第２ターミナルへデータが送信される。前記第１ターミナルは、これらのチャネルを経由して、前記第２ターミナルへ前記データを送信してもよい。この時、前記第１ターミナルは、前記第２ターミナルの機能及び／又は前記第２ターミナルからの指令を受けることはない。第１コーデックは、関連データの種類ごとに選択される。前記第１コーデックは、第１のチャネル上のデータを送信する。前記第２ターミナルは、前記第１コーデックのデータを受信、処理、許容及び／又は表示させることができる。その場合、前記第２ターミナルは前記データを受信した時点ですぐに利用できる。或いは、前記第２ターミナルは前記第１コーデックのデータを受信、処理、許容及び／又は表示させることができない。前記第１ターミナルがこれを発見すると、前記第１ターミナルは、出力データ送信を、前記第１コーデックから前記第２コーデックへ切り替える。前記第２ターミナルは、前記第２コーデックのデータを受信、処理、許容及び／又は表示することができる。すると、前記第１ターミナルは、前記第２コーデックのデータを送信する。前記データは、前記第１ターミナル及び前記第２ターミナル間で接続中の第２のチャネルを経由し、前記第２ターミナルへ送信される。
【００１０】
本発明のある実施例において、音声信号、ビデオ信号及び／又は他のデータ信号といったデータを送信するデータ転送システムが提供される。前記システムは、データを送信するネットワークを有する。該ネットワークはワイヤレスである。また第１ターミナルは該ネットワークに接続される。前記第１ターミナルは前記ネットワークを経由してデータを送受信する。さらに、前記システムは第２ターミナルを有する。該第２ターミナルは該ネットワークに接続される。前記第２ターミナルは、前記ネットワークを経由して前記第１ターミナルと通信する。前記第２ターミナルは、前記第１ターミナルから離れて配される。さらに、前記システムはデジタルテーブルを有する。該デジタルテーブルは前記第１ターミナルによりアクセス可能である。前記デジタルテーブルは複数のコーデックで事前に定義される。第１コーデック及び第２コーデックは、前記デジタルテーブル中の前記複数のコーデックから、前記第１ターミナルにより識別される。ナンバーが前記複数のコーデックの夫々のコーデックに割り当てられる。前記第１コーデックに割り当てられたナンバーは、前記第２コーデックに割り当てられたナンバーと異なる。さらには、前記システムは第１のチャネルを有する。該第１のチャネルは、前記ネットワークを経由して第１ターミナルと第２ターミナルを接続する。前記第１ターミナルは、前記第１コーデックのデータを、前記第１のチャネルを経由して前記第２ターミナルへ送信する。前記第２ターミナルは、前記第１コーデックの前記データを表示及び／又は前記第１ターミナルへメッセージを送信する。該メッセージは前記第２コーデックを識別する。該第２コーデックは前記第２ターミナルにより許容可能である。
【００１１】
ある実施例において、前記システムは第２のチャネルを有する。該第２のチャネルは前記第１ターミナル及び前記第２ターミナル間で構築される。前記第２コーデックの前記データは、前記第２のチャネルを経由して送信される。
【００１２】
ある実施例において、前記システムは標準スタッフィング・シーケンスを有する。該標準スタッフィング・シーケンスは、前記第２ターミナルから送信された前記メッセージに接続される。前記第１ターミナルは、前記標準スタッフィング・シーケンスを経由して前記第２コーデックを決定する。
【００１３】
ある実施例において、前記システムはヘッダを有する。該ヘッダは前記第２ターミナルから送信された前記メッセージに接続される。前記ヘッダは前記第２コーデックを識別する。該第２コーデックは前記第２ターミナルにより許容可能である。
【００１４】
ある実施例において、前記システムは第３のコーデックを有する。前記第３のコーデクは、前記デジタルテーブル内の前記複数のコーデックからのものである。前記第１ターミナルは、前記第３のコーデックの前記データを、前記第２ターミナルへ送信する。
【００１５】
ある実施例において、前記システムはテレビ会議を有する。該テレビ会議は、前記第１のチャネルを経由して、前記第１ターミナル及び前記第２ターミナル間で行われる。前記ターミナル間で交換された前記メディア・データは、前記第１ターミナル及び前記第２ターミナルにより表示される。
【００１６】
ある実施例において、前記第２ターミナルにより送信された前記メッセージは、ターミナル機能セットメッセージである。
【００１７】
ある実施例において、前記第１コーデック或いは前記第２コーデックは適応マルチレート・コーデック、H.263コーデック、H.264コーデック、適応マルチレート広帯域コーデック、制御／交渉促進プロトコル或いはMPEG‐４視覚コーデックのうちのいずれかである。
【００１８】
本発明の他の実施例において、音声信号及び／又はビデオ信号であるデータ送信方法が提供される。前記方法は、ネットワークを提供する工程を有する。前記ネットワークは、第１ターミナルと第２ターミナルを接続する。前記第１ターミナル及び前記第２ターミナルは、前記ネットワークを経由し通信する。前記第２ターミナルは前記第１ターミナルから離れて配される。前記方法は接続を確立する工程をさらに有する。該接続は、前記ネットワーク上で第１ターミナル及び第２ターミナル間にある。第１のチャネルは接続を経由し、前記第１ターミナルと前記第２ターミナル間で開放される。前記データは、ネットワーク上で前記第１のチャネルを経由して、前記第１ターミナル及び前記第２ターミナル間で送信可能である。前記第１のチャネルは、前記第１ターミナル及び前記第２ターミナルのコーデック機能を識別することなしに開放される。さらに、前記方法はデータを送信する工程を有する。前記データは、前記第１のチャネルを経由して、前記第１ターミナルから前記第２ターミナルへ送信される。前記データは第１コーデックで送信される。前記データは、前記第２ターミナルのコーデック機能を交換することはない。前記第１コーデックは、前記第１ターミナルによって複数のコーデックから選択される。前記第１コーデックは前記第１ターミナルのコーデック機能に対応する。さらに、前記方法は、第２ターミナルを経由して、前記第１コーデックの前記データを表示する工程を有する。前記方法は、第１ターミナル或いは第２ターミナルのコーデック機能を交換することはない。前記第１コーデックは前記第２ターミナルのコーデック機能に対応する。前記第２ターミナルは、前記接続を経由して、前記第１ターミナルへ通信し送信を行う。
【００１９】
ある実施例において、前記方法はメッセージを送信する工程を有する。前記メッセージは、前記送信を経由して、前記第２ターミナルから前記第１ターミナルへ送信される。前記メッセージは前記第２ターミナルのコーデック機能を識別する。
【００２０】
ある実施例において、前記方法は第２コーデックを識別する工程を有する。この工程により、前記第２ターミナルからの前記送信を介してデータを送信する。前記第１ターミナルは、前記第２コーデックのデータを前記第２ターミナルへ送信する。
【００２１】
ある実施例において、前記方法は第２のチャネルを開放する工程を有する。前記第２のチャネルは、前記接続を経由する前記第１ターミナル及び前記第２ターミナル間にある。前記第２のチャネルは、前記第１ターミナル及び前記第２ターミナルの前記コーデック機能に対応する。
【００２２】
ある実施例において、前記方法は第２コーデックのデータを送信する工程を有する。前記データは、前記第１ターミナルから前記第２ターミナルへ送信される。前記第２コーデックは、前記第１ターミナル及び前記第２ターミナルのコーデック機能に対応する。
【００２３】
ある実施例において、前記方法は、前記第１ターミナル及び前記第２ターミナル間で、前記第１のチャネルを第２のチャネルで置き換える工程を有する。前記第２のチャネルは、前記第１ターミナル及び前記第２ターミナルのコーデック機能に対応する。
【００２４】
ある実施例において、前記方法は、ヘッダあり又はヘッダなしの標準スタッフィング・シーケンスを送信する工程を有する。前記シーケンスは、前記送信を経由して、前記第２ターミナルから前記第１ターミナルへ送信される。前記第１ターミナルは、前記第２ターミナルの前記コーデック機能を、前記送信から識別する。
【００２５】
ある実施例において、前記ネットワークはワイヤレスである。
【００２６】
本発明の他の実施例において、第１コーデック或いは第２コーデックのデータ送信方法が提供される。前記データは音声信号及び／又はビデオ信号である。前記第１コーデック或いは前記第２コーデックは、複数のコーデックから選択される。前記方法は、第１ターミナルと第２ターミナルを接続するネットワークを提供する工程を有する。前記第２ターミナルは前記第１ターミナルから遠くに配される。前記第１ターミナル及び前記第２ターミナルは、前記ネットワークを経由して通信する。さらに、前記方法は、前記複数のコーデックの夫々のコーデックへコードを割り当てる工程を有する。前記第１コーデックに割り当てられたコードは、前記第２コーデックに割り当てられたコードと異なる。前記複数のコーデックの夫々のコーデックが前記第１ターミナルのコーデック機能に対応する。さらに、前記方法は、前記複数のコーデックから前記第１コーデックを選択する工程を有する。この工程において、前記第１ターミナル及び前記第２ターミナルのコーデック機能を交換することはない。前記第１コーデックは、前記第１ターミナルのコーデック機能に対応する。前記第１ターミナルは、前記第１コーデックに割り当てられたコードを識別することにより、第一のコーデックを選択する。さらに、前記方法は前記第１コーデックのデータを送信する工程を有する。前記データは、ネットワーク上の前記第１のチャネルを経由して、前記第１ターミナルから前記第２ターミナルへ送信される。前記第１のチャネルは、前記第１ターミナル及び前記第２ターミナル間で開放される。この時、前記第２ターミナルのコーデック機能を交換することはない。さらに、前記方法は通信を送信する工程を有する。前記通信は前記接続を経由し、前記第２ターミナルから前記第１ターミナルへ送信される。前記第２ターミナルの前記コーデック機能は、前記第２ターミナルからのコミュニケーションを経由する前記第１ターミナルにより決定可能である。
【００２７】
ある実施例において、前記方法はメッセージを送信する工程を有する。前記メッセージはコミュニケーションを経由して、前記第２ターミナルから前記第１ターミナルへ送信される。前記メッセージは前記第２ターミナルのコーデック機能を識別する。
【００２８】
ある実施例において、前記方法は前記第２コーデックのデータを送信する工程を有する。前記データは、前記第１ターミナルから前記第２ターミナルへ送信される。前記第２コーデックは、前記第２ターミナルのコーデック機能に対応する。
【００２９】
ある実施例において、前記方法は前記第１ターミナルと前記第２ターミナルの間で、ネットワークを介して第２のチャネルを開放する工程を有する。前記第１ターミナルは、前記第２コーデックのデータを送信する。該データは、第２のチャネルを経由し前記第２ターミナルへ送信される。
【００３０】
ある実施例において、前記方法は、前記第２コーデックを前記複数のコーデックから選択する工程を有する。前記第２コーデックは、前記第１ターミナル及び前記第２ターミナルのコーデック機能に対応する。そしてさらに、前記第１ターミナルは前記第２コーデックに割り当てられた前記コードを識別することにより、前記第２コーデックを選択する。
【００３１】
ある実施例において、前記方法は前記第１ターミナル及び前記第２ターミナルの間で、ネットワークを介して前記第２のチャネルを開放する工程を有する。前記第２のチャネルは、前記第１ターミナル及び前記第２ターミナルのコーデック機能に対応する。
【００３２】
ある実施例において、前記方法はターミナル機能メッセージ及びマスタ／スレーブ決定メッセージを送信する工程を有する。前記ターミナル機能メッセージ及びマスタ／スレーブ決定メッセージはコミュニケーションを介して、前記第２ターミナルから前記第１ターミナルへ送信される。該第１ターミナルは、前記第２ターミナルの前記コーデック機能を、コミュニケーションを介して識別する。
【００３３】
ある実施例において、前記方法は前記第１コーデックのデータから前記第２コーデックのデータへ切り替える工程を有する。前記第１ターミナルは、前記ネットワークを経由して、前記第２コーデックのデータを前記第２ターミナルへ送信する。
【００３４】
ある実施例において、前記方法は前記複数のコーデックをチャートにする工程を有する。前記チャートは、前記第１ターミナル及び前記第２ターミナルによりアクセス可能である。前記第１コーデックは、該第１コーデック或いは前記第２コーデックに割り当てられたコードにより選択される。
【発明の効果】
【００３５】
従って、本発明は、データを送信するシステム及び方法を提供し、詳細には、本発明は、第２ターミナルからの機能や指令（intention）を受信することなく、前記第２ターミナルへデータを送信する第１ターミナルを備える点で有利である。
【００３６】
本発明におけるその他の利点は、一つ以上の３Ｇ−３２４Ｍプロトコル付モバイル機器間でのデータを送信するデータ送信システム及び方法を提供することである。
【００３７】
そして、本発明におけるその他の利点は、抽象構文記法１のメッセージを提供するデータ送信システム及び方法を提供することである。前記抽象構文記法１のメッセージは、第１ターミナルのコーデック機能及び／又は優先コーデックを、第２ターミナルへ中継する。
【００３８】
さらに本発明におけるその他の利点は、事前定義テーブルの指標を利用するデータ送信システム及び方法を提供することである。前記事前定義テーブルの指標は、第１ターミナルのコーデック機能及び／又は優先コーデックを第２ターミナルへ示す。
【００３９】
本発明における更なる利点は、制御プロトコルの機能構造をメッセージに埋め込むデータ送信システム及び方法を提供することである。これにより、第１ターミナルのコーデック機能及び／又は優先コーデックが、第２ターミナルへ指示される。
【００４０】
さらに、本発明におけるその他の利点は、本発明におけるデータ送信システム及び方法において、前記コーデックが決定されることにより、前記第２ターミナルの前記コーデック機能の知識がなくとも、前記データを第１ターミナルから第２ターミナルへデータが転送されることである。
【００４１】
そして、本発明におけるその他の利点は、本発明におけるデータ送信システム及び方法において、ターミナル機能セット及び／又はマスタ／スレーブ決定を利用できることにある。これにより、前記第１コーデックでの仮定が、前記第１ターミナル及び前記第２ターミナル間でのデータの転送に不適切であることが判明した場合において使用されうる第２コーデックを決定することができる。
【００４２】
さらに本発明におけるその他の利点は、本発明におけるデータ送信システム及び方法において、前記第１ターミナルから前記第２ターミナル間のH.245論理チャネル交渉を完了しなくても、第１ターミナルから第２ターミナルへデータを発信及び／又は送信できることである。
【００４３】
本発明におけるその他の利点は、本発明におけるデータ送信システム及び方法において、標準H.245交渉、改良されたH.245交渉方法（例えばWNSRP）及び／又は他の拡張チャネル交渉方法などを利用できることにある。これにより、前記第１コーデックにおける仮定が、前記第１ターミナル及び前記第２ターミナル間でのデータ転送に不適切であると判明した場合において使用されうる第２コーデックを決定することができる。
【００４４】
さらに本発明における他の利点は、第１ターミナルから第２ターミナルへ送信されたメッセージ内のデータを送信するデータ転送方法のシステム及び方法を提供することである。
【００４５】
本発明におけるさらなる利点は、本発明のデータ送信システム及び方法において、一つ以上のチャネルを利用することができることである。これにより、前記チャネルは、第１ターミナルから第２ターミナルへデータを転送、送信及び／又は発信することができる。
【００４６】
さらに、本発明における利点は、本発明のデータ送信システム及び方法において、第１ターミナル及び／又は第２ターミナルにより許容可能な、前記データのコーデックを決定することができることである。
【００４７】
そして、本発明における他の利点は、第１ターミナルのコーデック機能及び／又は指令を第２ターミナルへ発信及び／又は送信して、前記第１ターミナルのコーデックの許容性を指示することが可能なデータ送信システム及び方法を提供することである。
【００４８】
さらに、本発明における他の利点は、ベアラ（bearer）構築において、第１ターミナルから第２ターミナルへ、前記データを送信、発信及び／又は転送するデータ送信システム及び方法を提供することである。
【００４９】
さらに、本発明における利点は、本発明のデータ送信システム及び方法において、一つ以上の、すなわち適応マルチレート・コーデック、適応マルチレート広域帯コーデック、適応マルチレート広域帯プラスコーデック、H.263コーデック、H.264コーデック、MPEG‐４ビジュアル・コーデックがサポートされる第１ターミナル及び／又は第２ターミナルを備える点である。
【００５０】
また、本発明における他の利点は、前記データの第１コーデックを、前記データの第２コーデックに切り替える第１ターミナルを備えるデータ送信システム及び方法を提供することであり、この実施形態によると、前記データの第２コーデックは、前記データを第２ターミナルへ送信することができる。
【００５１】
さらに本発明における他の利点は、第２ターミナルのコーデック機能を決定する第１ターミナルを備えるデータ送信システム及び方法を提供することであり、この実施形態によると、前記第２コーデック機能は、前記データを前記第２ターミナルへ送信、発信及び／又は転送することができる。
【００５２】
本発明における他の利点は、コール・セットアップを備えるデータ送信のシステム及び方法を提供することにより、レガシー・ターミナルにデータを送信可能にする点である。
【００５３】
本発明における追加的な特徴及び利点は、好適な本発明の実施形態及び図面に述べられており、またそれらから明らかになるであろう。
【発明を実施するための最良の形態】
【００５４】
本発明は、第１ターミナルと第２ターミナルの間で、１以上のチャネルからなる接続を介したデータ送信のためのシステム及び方法に関する。第１ターミナルと第２ターミナルは通信する及び／又は前記接続を介し接続されている。前記接続のベアラ（bearer）構築は、第１ターミナル及び／又は第２ターミナルによって識別されてもよい。第１コーデックのデータは、第１ターミナルから第２ターミナルへ送信されてもよく、また転送されてもよく、或いは送られてもよい。これらは、第１ターミナルと第２ターミナルの間における、第２ターミナルのコーデック機能及び／又は優先コーデックの交換をおこなうことなく成し得る。第２ターミナルは、第１コーデックのデータを受信する、許容する、処理する、及び／又は表示することができる。結果として、第２ターミナルは、データを受信したときデータを利用することができる。或いは、第２ターミナルは、第１コーデックのデータを受信する、許容する、処理する及び／又は表示することができなくともよい。前記第１ターミナルは、第２ターミナルにより許容可能な第２コーデックを識別する。第１ターミナルは、第２ターミナルから第１ターミナルへ送られる機能情報や優先傾向情報を使用して、第２コーデックを決定してもよい。第１ターミナルは、送信を変更及び／又は移行して、第１コーデックから第２コーデックに切替えてもよい。第１ターミナルは、接続を介して、第２コーデックのデータを第２ターミナルへ送信、転送及び／又は発信してもよい。結果として、第２ターミナルは、このデータを許容する、受信する、処理する、表示する及び／又は発信してもよい。
【００５５】
次に、図を参照する。尚、図中の数字は、各部分を示す。図１は、システム（１０）を示し、システム（１０）は、第１ターミナル（１２ａ）及び第２ターミナル（１２ｂ）を備え、これによりデータが転送される。前記データは、例えば、音声信号、ビデオ信号、呼交渉促進プロトコル、データ・ストリーム及び／又はこれらの類似物であってもよい。第１ターミナル（１２ａ）は、第２ターミナル（１２ｂ）と接続及び／又は通信してもよい。第１ターミナル（１２ａ）及び／又は第２ターミナル（１２ｂ）は、例えば、コンピュータ・ターミナル、モバイル機器及び／又は電子機器であってもよい。尚、前記コンピュータ・ターミナル、モバイル機器及び／又は電子機器は、コーデックにフォーマットされたデータを送信、受信、処理、許容及び／又は表示できる。更に、前記モバイル機器は、例えば３Ｇモバイル機器、インターネット・プロトコル（IP: Internet Protocol）ビデオ携帯電話、ＰＤＡ、ラップトップ型コンピュータ及び／又はこれらの類似物であってもよい。第１ターミナル（１２ａ）及び／又は第２ターミナル（１２ｂ）は、コーデックのデータを、送信可能、受信可能及び／又は処理可能な当該技術分野で知られるようないずれのターミナルであってもよい。
【００５６】
第１ターミナル（１２ａ）及び／又は第２ターミナル（１２ｂ）はテレビ会議及び／又は視聴覚コミュニケーションを実施及び／又は送信してもよく、これらは、例えば、Ｈ．３２０プロトコル、Ｈ．３２３プロトコル、Ｈ．３２４プロトコル及び／又は３Ｇ−３２４Ｍプロトコル等の、送信プロトコルを介して、データ・コミュニケーション・ネットワーク（１６）（以下、ネットワーク（１６））において行われる。第１ターミナル（１２ａ）及び／又は第２ターミナル（１２ｂ）は、例えば、Ｈ．２４５プロトコルの制御プロトコルにある制御／送信メッセージ（３０）は、ネットワーク（１６）を通って、送信、運搬、受信、及び／又は処理されてもよい。ネットワーク（１６）は、ターミナル（１２ａ及び１２ｂ）を接続する１以上のチャネルを備えてもよい。データ、ビデオ信号、音声信号、呼交渉促進プロトコル・ストリーム及び／又はデータ・ストリームは、ターミナル（１２ａ）とターミナル（１２ｂ）の間を、ネットワーク（１６）の１以上のチャネルを介して行き来してもよい。
【００５７】
制御／送信メッセージ（３０）は、音声信号、ビデオ信号、呼交渉促進プロトコル・ストリーム及び／又はデータ・ストリームのための１以上の論理チャネルを開放及び／又は  
【００５８】
閉鎖してもよい。制御／送信メッセージ（３０）は、第１ターミナル（１２ａ）及び／又は第２ターミナル（１２ｂ）の１以上のコーデック機能、優先コーデック及び／又は指令を識別してもよい。第１ターミナル（１２ａ）及び／又は第２ターミナル（１２ｂ）に、例えば、ＷＮＳＲＰプロトコル等の再送信プロトコルを利用されてもよい。前記再送信プロトコルは、ネットワーク（１６）を通って、制御／送信メッセージ（３０）を運搬及び／又は許容するためのものである。再送信プロトコルの認可により、１を超える数の制御／送信メッセージ（３０）が、第１ターミナル（１２ａ）又は第２ターミナル（１２ｂ）へ運搬されてもよい。この運搬は、第１ターミナル（１２ａ）又は第２ターミナル（１２ｂ）のそれぞれからの制御／送信メッセージ（３０）の肯定応答なしで行われる。第１ターミナル（１２ａ）及び／又は第２ターミナル（１２ｂ）は、当該技術分野で知られる制御プロトコルの制御／送信メッセージ（３０）を送信、受信及び／又は処理することが可能であれば、如何なるターミナルであってもよい。
【００５９】
システム（１０）の第１ターミナル（１２ａ）及び／又は第２ターミナル（１２ｂ）は、抽象構文中にあるデータ及び／又は情報を表現、送信、符号化及び／又はデコードしてもよい。前記抽象構文として、例えば、抽象構文記法１（ASN.1: Abstract syntax Notation One）が挙げられる。制御／送信メッセージ（３０）にあるデータ及び／又は情報は、抽象構文で表現、抽象構文で送信、抽象構文により符号化及び／又はデコードされてもよい。第１ターミナル（１２ａ）及び／又は第２ターミナル（１２ｂ）は、抽象構文にある制御／送信メッセージ（３０）を利用して、第１ターミナル（１２ａ）及び／又は第２ターミナル（１２ｂ）のコーデック機能及び／又は優先コーデックをリレーしてもよい。
【００６０】
図１で示す如く、システム（１０）にあるターミナル（１２ａ）及び（１２ｂ）は、ベアラ（bearer）構築があれば、個別機能ステージ及び／又は指令ステージを完了することなくデータの送信を始めてもよい。前記データ送信は、機能と指令情報の送信より前に、後に、或いは一緒に、行われてもよい。
【００６１】
図４で示すとおり、システム（１０）のターミナル（１２ａ）及び（１２ｂ）は、所定のテーブルの１以上の指標を使用して、コーデック機能及び／又は優先コーデック及び／又はターミナル（１２ａ）及びターミナル（１２ｂ）の間のデータ転送時に使用される他のコーデック及び多重コンフィギュレーション情報を表現してもよい。前記所定のテーブル情報の使用により、制御／送信メッセージ（３０）を介して、機能情報、優先傾向情報及び／又はコンフィギュレーション情報を受信する要求を、先延ばしにする或いは消去することができる。図４のテーブルに表した各コーデックは、例えば、対応する論理チャネル・ナンバー、多重コード及び／又は多重テーブル入力を含む。図４のテーブルに記載される各コーデックは、コーディング標準に対応する及び／又は割り当てられていてもよい。前記コーディング標準としては、例えば、Ｈ．２４５制御標準、Ｈ．２６３標準、Ｈ．２６４標準、動画の圧縮・伸長の国際標準規格４（MPEG-4: Moving Picture Experts Group Four）標準、適応マルチレート（AMR: Adaptive Multi-rate）標準、ＡＭＲ広帯域（AMR-WB: AMR Wide-Band）標準、及び／又は呼交渉促進プロトコル標準が挙げられる。図４中のテーブルで示されるように、Ｈ．２４５制御コーデック、ＡＭＲコーデック、Ｈ．２６３コーデック、ＭＰＥＧ−４コーデック、Ｈ．２６４コーデック、ＡＭＲ−ＷＢ及び呼交渉促進プロトコル標準は、それぞれ、０、１、２、３、４、５及び６の対応する多重テーブル入力を有してもよい。図４中のテーブルの各コーデックは、システム（１０）において使用され、ターミナル（１２ａ）及びターミナル（１２ｂ）の間のデータ送信のために、事前設定、事前交渉ファントム・チャネル（以下、ファントム・チャネル）を構築してもよい。
【００６２】
図４中のテーブルにあるコーデックは、結合コーデック・コンフィギュレーション情報及び／又はＨ．２２３コンフィギュレーション情報を有していてもよい。ＡＭＲコーデックのコーデック・コンフィギュレーションは、例えば、１２．２ｋｂｉｔ／ｓのビット速度を有してもよい。ＡＭＲコーデックのコーデック・コンフィギュレーションは、例えば、１の最大ＡＬ−ＳＤＵフレームを有してもよい。ＡＭＲコードのＨ．２２３コンフィギュレーションは、例えば、連続番号を有するアダプテーション層型であってもよい。また、Ｈ．２２３は、分割可能ではなくてもよい。
【００６３】
Ｈ．２６３コーデックのコーデック・コンフィギュレーションは、例えば、４分割共通中間フォーマット（QCIF: Quarter Common Intermediate Format）をサポートしてもよい。Ｈ．２６３コーデックのコーデック・コンフィギュレーションは、例えば、ＱＣＩＦ最小画像間隔（MPI: Minimum Picture Interval）の２は、１／３０ｓｅｃのユニットで表される。さらに、Ｈ．２６３コーデックのコーデック・コンフィギュレーションは、最大ビット速度として、例えば、６４ｋｂｉｔｓ／ｓを有してもよい。さらに、Ｈ．２６３コーデックのコーデック・コンフィギュレーションは、例えば、無制限ベクトル、算術符号化、高度予測、ｐｂフレーム及び／又は擬似時空間のトレードオフ機能を有してもよい。Ｈ．２６３コーデックのコーデック・コンフィギュレーションは、Ｈ．２６３ベースラインに従う。
【００６４】
ＭＰＥＧ−４コーデックのコーデック・コンフィギュレーションは、例えば、ＱＣＩＦをサポートしてもよい。ＭＰＥＧ−４コーデックのコーデック・コンフィギュレーションは、例えば、６４ｋｂｉｔ／ｓの最大ビット速度を有する。さらに、ＭＰＥＧ−４コーデックのコーデック・コンフィギュレーションは、例えば、プロファイル及びレベル表示が８に設定されている。また、ＭＰＥＧ−４コーデックのコーデック・コンフィギュレーションは、例えば、オブジェクトＩＤが１に設定されている。さらには、ＭＰＥＧ−４コーデックのコーデック・コンフィギュレーションは、例えば、デコーダ・コンフィギュレーション情報は、「00-00-01-bO-00-00-01-b5-09-00-00-01-20-00-84-5d-4c-28-2c-20-90-a2-8f」である。ＭＰＥＧ−４のＨ．２２３コンフィギュレーションは、例えば、制御フィールド・オクテットが２に設定されている。さらに、ＭＰＥＧ−４コーデックのＨ．２２３コンフィギュレーションは、例えば、１０２４のセンド・バッファ・サイズを有する。
【００６５】
Ｈ．２６４コーデックのＨ．２２３コンフィギュレーションにおいて、制御フィールド・オクテットは２に設定される。さらに、Ｈ．２６４コーデックのＨ．２２３コンフィギュレーションは、例えば、１０２４のセンド・バッファ・サイズを有する。
【００６６】
ＡＭＲ−ＷＢコーデックのＨ．２２３コンフィギュレーションは、例えば、シーケンス・ナンバーをもつＡＬ２のアダプテーション層型である。ＡＭＲ−ＷＢコーデックのＨ．２２３コンフィギュレーションは、例えば、分割可能ではなくてもよい。
【００６７】
図１に示す如く、第１ターミナル（１２ａ）及び／又は第２ターミナル（１２ｂ）は、制御／送信メッセージ（３０）を介して、ネットワーク（１６）を通って通信する。この通信は、１以上のチャネルを用いて行われる。制御メッセージ（３０）は、第１ターミナル（１２ａ）及び／又は第２ターミナル（１２ｂ）コーデック機能、優先コーデック及び／又は指令を含んでもよい。制御／送信メッセージ（３０）は、ターミナル（１２ａ）及びターミナル（１２ｂ）の機能、ターミナル（１２ａ）及びターミナル（１２ｂ）の指令、及び／又はターミナル（１２ａ）とターミナル（１２ｂ）の間のデータ及び／又はメディアを含んでもよい。制御／送信メッセージ（３０）は、データ及び／又はメディアを含み、このデータ及び／又はメディアは、第１コーデックにフォーマット及び／又はコード化されている。
【００６８】
制御／送信メッセージ（３０）は、第１ターミナル（１２ａ）から第２ターミナル（１２ｂ）へ、送信及び／又は送られる。第２ターミナル（１２ｂ）は、制御／送信メッセージ（３０）を受信、許容及び／又は処理してもよい。制御／送信メッセージ（３０）は、第１ターミナル（１２ａ）のコーデック機能、第１ターミナル（１２ａ）の優先コーデック、第１ターミナル（１２ａ）の指令及び／又は第１コーデックを識別する。前記第１コーデックは、第１ターミナル（１２ａ）から第２ターミナル（１２ｂ）へ送られるデータ及び／又はメディアの第１コーデックである。第１ターミナル（１２ａ）は、前記データ及び／又はメディアの第１コーデックが、第２ターミナル（１２ｂ）から第１ターミナル（１２ａ）に送られる制御／送信メッセージ（３０）の受信を介して、第２ターミナル（１２ｂ）により許容可能であるか否かを判断する。第２ターミナルは、第１コーデックのデータ及び／又はメディアを受信、許容、処理及び／又は表示してもよい。この第１コーデックは、第２ターミナル（１２ｂ）の許容可能なコーデック及び／又は好適なコーデックである。結論として、第１ターミナル（１２ａ）及び第２ターミナル（１２ｂ）の間のデータ及び／又はメディアの送信のコール設定時間は最小限化される。これは、前記データ及び／又はメディアが、第１ターミナル（１２ａ）及び第２ターミナル（１２ｂ）の間の機能及び／又は指令が交換されるのを待つことなく、ベアラ（bearer）構築で送信されるからである。
【００６９】
第２ターミナル（１２ｂ）は、制御／送信メッセージ（３０）のデータ及び／又はメディアの第１コーデックを処理する機能、受信する機能、許容する機能及び／又は異化する機能を備えない。第２ターミナル（１２ｂ）は、第２ターミナルのコーデック機能、優先コーデック及び／又は指令を、第１ターミナル（１２ａ）へ送信してもよい。この送信は、制御／送信メッセージ（３０）を介して行われる。さらに、第２ターミナル（１２ｂ）は、前記データ及び／又はメディアを、制御／送信メッセージ（３０）を介して、第１ターミナル（１２ａ）へ送信する。制御／送信メッセージ（３０）は、前記ターミナル（１２ａ）及び（１２ｂ）の間でデータ及び／又はメディアを送信するためには、図４で示すテーブルのいずれのコーデックが、第２ターミナル（１２ｂ）により許容可能か及び／又は第２ターミナル（１２ｂ）にとって好適なコーデックであるかを、第１ターミナル（１２ａ）へ指示する。第１ターミナルは、第２ターミナル（１２ｂ）により許容可能及び／又は第２ターミナル（１２ｂ）にとって好適な第２番目のコーデックを決定する。第１ターミナル（１２ａ）は、データ及び／又はメディアを第１コーデックから第２コーデックへフォーマット、ネゴシエーション及び／又はスイッチしてもよい。これらは、ターミナル（１２ａ）及びターミナル（１２ｂ）の間のデータ及び／又はメディア送信のために行われる。第１ターミナル（１２ａ）は、第２コーデックのデータ及び／又はメディアを第２ターミナル（１２ｂ）へ送信してもよい。第２ターミナル（１２ｂ）は、第２コーデックのデータ及び／又はメディアを受信、許容、処理、及び／又は表示してもよい。結果として、ターミナル（１２ａ）とターミナル（１２ｂ）の間のフォールバックのネゴシエーションにより、前記ターミナル（１２ａ）及び（１２ｂ）の間でデータ及び／又はメディアが送信される。この送信は、ターミナル（１２ａ）及び（１２ｂ）の間の往復の半分の長さであるごくわずかの遅延を引き起こすのみである。
【００７０】
ターミナル（１２ａ）及びターミナル（１２ｂ）は、ベアラ（bearer）構築でデータ及び／又はメディアを送信及び／又は発信してもよい。これは、ターミナル（１２ａ）及びターミナル（１２ｂ）の間で送信されるメディアに基づいて、１以上のディフォルト・オプションを選択することにより行われる。１以上のディフォルト・オプションは、コーデック、コーデック・コンフィギュレーション、チャネル・コンフィギュレーション及び多重テーブル入力のために定義されてもよい。ターミナル（１２ａ）及び（１２ｂ）は１以上のディフォルト・オプションを利用して、視聴覚交換及び／又は通信会議を行ってもよい。
【００７１】
ターミナル（１２ａ）及びターミナル（１２ｂ）の間でＨ．２４５チャネル・ネゴシエーションを行うことなく、送信されるデータ及び／又はメディアは、ネットワーク（１６）の少なくとも１つのファントム・チャネルを介して、ターミナル（１２ａ）及びターミナル（１２ｂ）の間で転送される。ファントム・チャネルは、第２ターミナル（１２ｂ）により構築及び／又は検知され、この第２ターミナル（１２ｂ）は、第１ターミナル（１２ａ）からデータ及び／又はメディアを受信する。ファントム・チャネルは、同じタイプのデータ及び／又はメディアのＨ．２４５ネゴシエーション論理チャネルの構築で終了する。ファントム・チャネルは、ターミナル（１２ａ）及び（１２ｂ）の間のデータ及び／又はメディアのフローを構築し、このフローは、通常のＨ．２４５コール・ネゴシエーション或いは促進手段を利用するコール・ネゴシエーションの間継続される。
【００７２】
ターミナル（１２ａ）及び（１２ｂ）は、少なくとも１つのファントム・チャンネルを構築し、Ｈ．２４５コール・セットアップ或いはその他の促進コール・セットアップ処理を踏む。各ファントム・チャネルは、ターミナル（１２ａ）及びターミナル（１２ｂ）の間で構築された音声論理チャネル、ビジュアル論理チャネル及び／又はデータ論理チャネルにより置き換えられる。或いは、システム（１０）は、ファントム・チャネル及び／又は論理チャネルをターミナル（１２ａ）と（１２ｂ）の間で維持する。結果として、システム（１０）は、ターミナル（１２ａ）と（１２ｂ）の間のＨ．２４５論理チャネル・ネゴシエーションを避けることができる。第２ターミナル（１２ｂ）は、データ及び／又はメディアの第１コーデックをサポートしない。結果として、第１ターミナル（１２ａ）から第２ターミナル（１２ｂ）への、少なくとも１つのファントム・チャネルを介した第１コーデックのデーア及び／又はメディアの送信は、実行されない。
【００７３】
標準スタッフィング・ブロックは、制御／送信メッセージ（３０）のデータと交互に配されることにより、ファントム・チャネルを介して、第１ターミナル（１２ａ）から第２ターミナル（１２ｂ）へ送信される。結果として、レガシー・ターミナルが標準スタッフィング・ブロックと同期する及び／又は第１コーデックのデータ及び／又はメディアを廃棄する。第１ターミナル（１２ａ）は、第２ターミナル（１２ｂ）が第１コーデックをサポートしないことを認識し、第１コーデックのデータ及び／又はメディアの送信を終了し、第２ターミナル（１２ｂ）へレガシー信号を送信する。
【００７４】
データの第１コーデックに基づく機能情報は、Ｈ．２４５ＴＣＳメッセージに加えられ、ターミナル（１２ａ）及び／又はターミナル（１２ｂ）が、コーデックをサポートするという信号をターミナル（１２ａ）及び／又はターミナル（１２ｂ）へ発信する。機能情報により、第１ターミナルが指示され、この指示の内容は、第２ターミナル（１２ｂ）が、少なくとも１つのファントム・チャネルを介して第１ターミナル（１２ａ）により受信した第１コーデックのデータ及び／又はメディアをサポートするというものである。或いは、ターミナル（１２ａ）及びターミナル（１２ｂ）の間のデータ・コミュニケーションが成立するように、第１ターミナル（１２ａ）が第１コーデックから第２コーデックにスイッチする必要があることを指示する。この場合、第１ターミナル（１２ａ）は、図４のテーブル或いはデフォルトの類似のテーブルから第２コーデックを選択し、この第２コーデックを使用して新たなファントム・チャネルを構築する。或いは、第１ターミナル（１２ａ）は、前記第２コーデックを使用して、Ｈ．２４５開放論理チャネル（OLC: Open Logical Channel）をネゴシエーション及び／又は構築することを選択する。Ｈ．２４５ＯＬＣのネゴシエーションは、ＷＮＳＲＰプロトコル及び／又は他の呼交渉促進技術を利用してもよく、前記呼交渉促進技術は、標準的なＨ．２４５ＯＬＣネゴシエーションを超えるスピードを有する点で有利である。
【００７５】
図２Ａ及び２Ｂは、ビデオ・ファントム・チャネル（３２）及び／又は音声ファントム・チャネル（３４）を介したターミナル（１２ａ）及びターミナル（１２ｂ）の接続のための時間記録を示す。第１ターミナル（１２ａ）は、ベアラ（bearer）構築（図２Ａ及び図２Ｂ中の点Ａ）とともに、データ及び／又はメディアを送り始める及び／又は送信し始める。前記データ及び／又はメディアは、標準スタッフィング・ブロックと交互に構成される。ビデオ・ファントム・チャネル（３２）及び／又は音声ファントム・チャネル（３４）は、第２ターミナル（１２ｂ）により許容可能である。結果として、ターミナル（１２ａ）と（１２ｂ）の間のビデオ・ファントム・チャンネル（３２）及び／又は音声ファントム・チャンネル（３４）が構築されて、このデータ及び／又はメディアは第２ターミナル（１２ｂ）に送信される。ターミナル（１２ａ）及びターミナル（１２ｂ）の間のレベル・セットアップは、図２Ａ及び図２Ｂの点Ｂにおいて、完了及び／又は実行される。ターミナル（１２ａ）及び（１２ｂ）の間のＴＣＳ及び／又はＭＳＤは、図２Ａ及び図２Ｂの点Ｃにおいて、完了及び／又は実行される。
【００７６】
ビデオ・ファントム・チャンネル（３２）及び／又は音声ファントム・チャンネル（３４）が利用されて、データが第１ターミナル（１２ａ）から第２ターミナル（１２ｂ）に送信される。この送信は、第２ターミナル（１２ｂ）が、図２Ａと図２Ｂの点Ｄにおいて、Ｈ．２４５ＯＬＣを実行、完了及び／又は交渉するまで行われる。結果として、ビデオ・ファントム・チャネル（３２）及び／又は音声ファントム・チャネル（３４）が、図２Ａの点Ｄにおいて、交渉ビデオ信号（３６）及び／又は交渉音声信号（３８）で置き換えられる。或いは、第２ターミナルは、Ｈ．２４５ＯＬＣを実行及び／又は交渉しない。結果として、ビデオ・ファントム・チャネル（３２）及び／又は音声・ファントム・チャネル（３４）は、第１ターミナル（１２ａ）から第２ターミナル（１２ｂ）へデータ及び／又はメディアを送信する。この送信は、図２Ｂで示される如く、ターミナル（１２ａ）及びターミナル（１２ｂ）の間の送信のセッションの間行われる。
【００７７】
ターミナル（１２ａ）及び（１２ｂ）は、第１コーデックをサポートする、及び／又は第１コーデックのデータ及び／又はメディアの送信を開始する。前記送信は、例えば、レベル２送信又は任意のヘッダ使用したレベル２送信を介して行われる。第１ターミナル（１２ａ）及び／又は第２ターミナル（１２ｂ）はレベル２送信及び／又は任意のヘッダを使用したレベル２送信を受信することができる。或いは、第１ターミナル（１２ａ）及び／又は第２ターミナル（１２ｂ）は任意のヘッダを使用したレベル２送信を受信することができない。結果として、第１ターミナル（１２ａ）及び／又は第２ターミナル（１２ｂ）は、任意のヘッダを使用したレベル２送信を終了させる。ターミナル（１２ａ）及びターミナル（１２ｂ）は、音声／ビデオ（Audio/Video: A/V）多重（Mux: Multiplexing）プロトコル・データ・ユニット（PDU: Protocol Data Unit）を分析して、前記レベル２送信から前記任意のヘッダを取り除くことができる。
【００７８】
図３で示す如く、第１ターミナル（１２ａ）は、第２コーデックをサポートし、これは、Ａ／ＶＭｕｘＰＤＵの４０を、第２ターミナル（１２ｂ）へ送信する。第１ターミナル（１２ａ）から第２ターミナル（１２ｂ）への送信において、スタッフィング（３９）のパターンは、Ａ／ＶＭｕｘＰＤＵの４０と交互配置される。スタッフィングのパターンは、標準スタッフィング（４２）及び／又はＦＭスタッフィング（４４）を備える。標準スタッフィング（４２）は、レベル２送信及び／又は任意のヘッダを使用したレベル２送信のためのスタッフィング・シーケンスを備える。最小の２０の連続した標準スタッフィング・シーケンスは、第１ターミナル（１２ａ）から第２ターミナル（１２ｂ）へ送信される。ＦＭスタッフィング（４４）は、少なくとも１つのファントム・チャネル（３２）及び（３４）に対応する値を有するＭｕｘＣｏｄｅを、例えば、［Ａ］４６、［Ｖ］、４８、［Ａ］、４６［Ｖ］、４８のパターンで置き換える。最小の４の連続したＦＭスタッフィング（４４）は、順番付けられる及び／又は第１ターミナル（１２ａ）から第２ターミナル（１２ｂ）へ送信される。Ａ／ＶＭｕｘＰＤＵの４０は、データ及び／又はメディアであってもよい。前記データ及び／又はメディアは、ファントム・チャネル（３２）及び（３４）を介して、第１ターミナル（１２ａ）から第２ターミナル（１２ｂ）へ送信される。Ａ／ＶＭｕｘＰＤＵの４０は、レベル２送信及び／又は任意のヘッダを使用したレベル２送信を介して送信される。初期繰返し率は、スタッフィング・ブロックの間の継続時間であり、例えば、２００ｍＳ以下である。レベル・セットアップは、ファントム・チャネル（３２）及び（３４）を介して、完了及び／又は実行される。このチャネルは、第２ターミナル（１２ｂ）により検知される。結果として、第１ターミナル（１２ａ）は、正規のスタッフィング・ブロックの送信を終わらせる及び／又はＡ／ＶＭｕｘＰＤＵ４０の混合の送信を開始する。前記送信は、ファントム・チャネル（３２）、（３４）及び／又はＨ．２４５ＯＬＣからの送信である。
【００７９】
第１ターミナル（１２ａ）は、前述の如くディフォルト・オプションに基づき操作する。第１ターミナル（１２ａ）と第２ターミナル（１２ｂ）の間でファントム・チャネル（３２）及び（３４）が構築された後に、第１ターミナルはＨ．２４５ＯＬＣ処理又は他の呼交渉促進処理を利用及び／又は選択して、第１ターミナル（１２ａ）及び第２ターミナル（１２ｂ）の間の正規のチャネルを構築してもよい。結果として、ファントム・チャネル（３２）及び（３４）は、第１ターミナル（１２ａ）により終了される。第２ターミナル（１２ｂ）による明白なトランジッションを考慮すると、第１ターミナル（１２ａ）は、Ｈ．２４５−交渉論理チャネル・ナンバー及び／又は多重テーブルを構築する。これらのテーブル等は、活動状態のファントム・チャネル（３２）及び（３４）により利用される論理チャネル・ナンバー及び多重テーブル入力と競合しない。第１ターミナル（１２ａ）は、活動状態の各ファントム・チャネル（３２）及び（３４）のために１の多重テーブル入力を予約してもよい。第１ターミナル（１２ａ）及び第２ターミナル（１２ｂ）の間の正規のチャネルが構築された後、第１ターミナル（１２ａ）は、Ｍｕｘテーブルを、正規Ｈ．２４５ＭＥＳ処理で、即ち、事前に予約したテーブル入力を利用して、アップデートする。
【００８０】
第１ターミナル（１２ａ）は、第２ターミナル（１２ｂ）のコーデック機能を受信する前に第１コーデックのデータ及び／又はメディアを送信する。第２ターミナル（１２ｂ）は、第１コーデックのデータ及び／又はメディアを受信、許容、処理及び／又は異化できない。結果として、第１ターミナル（１２ａ）は、第１コーデックから第２コーデックへのスイッチ、変更、及び／又は交渉することが必要であり、この第２コーデックは、第２ターミナル（１２ｂ）により許容及び／又はサポートが可能である。第２コーデックはコーデック機能に基づくコーデックであり、制御／送信メッセージ（３０）において指し示される。
【００８１】
第１ターミナル（１２ａ）は、第１コーデックのデータ及び／又はメディアが第２ターミナル（１２ｂ）から第１ターミナル（１２ａ）へ送信されているか否かを検知することができる。第１ターミナル（１２ａ）は、ファントム・チャネル（３２）及び（３４）のＦＭスタッフィング・シーケンス及び／又はファントム・チャネル（３２）及び（３４）のＡ／ＶＭｕｘ−ＰＤＵ４０を検知して、第２ターミナル（１２ｂ）が第１コーデックのデータ及び／又はメディアを送信しているか否かを判断する。１以上の同期技術（例えば、スタッフィング・パターン入力の際の相関調査等）が利用され、第２ターミナル（１２ｂ）が第１コーデックのメディアを送信したか否かを判断する。ファントム・チャネル（３２）及び（３４）が検知された後、第１ターミナル（１２ａ）は、第１コーデックのデータ及び／又はメディアをデコード、処理、及び／又は表示を始める。
【００８２】
第２ターミナル（１２ｂ）は、第１コーデックのデータ及び／又はメディアを許容する又は許容せず、この第２ターミナル（１２ｂ）は、Ｈ．２４５ＴＣＳメッセージのコーデック機能オブジェクトを送信する。コーデック機能オブジェクトは、図４のテーブルで示されるいずれのコーデックが第２ターミナル（１２ｂ）により許容されるかを指示する。第１ターミナル（１２ａ）は、この情報及び／又は他の情報を利用して、第２ターミナル（１２ｂ）が、データ及び／又はメディアの第１コーデックを処理できない及び／又はサポートできないことを決定する。結果として、第１ターミナル（１２ａ）は、ファントム・チャネル又はチャネル（３２）、（３４）の送信を終了させる、及び／又はＨ．２４５ＯＬＣネゴシエーションに戻る。第１ターミナル（１２ａ）は、コーデック機能オブジェクトなしで、及び／又はＦＭスタッフィング・シーケンス（４４）を検知することなく、Ｈ．２４５ＴＣＳメッセージを受信する。前記シーケンス等は、第２ターミナル（１２ｂ）が第１コーデックをサポートしない、及び／又はファントム・チャンネルの構築をサポートしないことを、第１ターミナル（１２ａ）に指示する。第１ターミナル（１２ａ）は、コーデック機能オブジェクトを有するＨ．２４５ＴＣＳメッセージが送信されることにより、第２ターミナル（１２ｂ）に対して、第１コーデックが、第１ターミナル（１２ａ）によりサポートされうるか、及び／又は図４のテーブルに記載のいずれのコーデックが第１ターミナル（１２ａ）により許容されうるかを指示する。
【００８３】
システム（１０）は、ファントム・チャネルの構築をサポートしないようなレガシー・ターミナル（図示せず）と適合してもよい。スタッフィング・ブロックに対する正規のスタッフィング・コンポーネントは、レガシー・ターミナルにより検知されうる。このレガシー・ターミナルは、同一のＨ．２２３モード（例えば、レベル２或いは任意のヘッダを有したレベル２）をサポートする。レガシー・ターミナルは、スタッフィング・パターンを検知する及び／又は第１ターミナル（１２ａ）へ同レベル送信を行う。結果として、第１ターミナル（１２ａ）は、レガシー・ターミナルから受信したレベル一致を検知し、Ｈ．２４５ＯＬＣネゴシエーションの実行を進める。レガシー・ターミナルは、より高いレベル送信を第１ターミナル（１２ａ）へ行う。この結果、第１ターミナル（１２ａ）は、より高いレベル送信を検知し、より高いレベル送信におけるスタッフィングを送り、及び／又はＨ．２４５ＯＬＣネゴシエーションの実行を進める。レガシー・ターミナルは、より低いレベル送信を行う及び／又は第１ターミナル（１２ａ）がレガシー・ターミナルにより許容可能なレベルに適応するのを待つ。
【００８４】
レガシー・ターミナルは、第１ターミナル（１２ａ）から送信された、第１コーデックのデータ及び／又はメディアの正規のスタッフィングを認識しない。第１ターミナル（１２ａ）は、第１コーデックをサポートしないレガシー・ターミナルを検知する。第１ターミナル（１２ａ）は、ファントム・チャネル（３２）及び（３４）の送信を行い、及び／又は、再び、レガシー・ターミナルによりサポートされる及び／又は許容されるという信号を発信する。第１ターミナルがスタッフィング低レベル２の入りを検知することにより、レガシー・ターミナルが第１コーデックをサポートしないことが示される。第１ターミナル（１２ａ）は、Ａ／Ｖ信号の送信を終了させる、及び／又は、データ及び／又はメディアを送信するための低レベル送信を、レガシー・ターミナルにスイッチすることができる。
【００８５】
本発明における可能なコミュニケーションを説明するために、以下、適切なターミナル（１２ａ）及び（１２ｂ）の間に起こりうる幾つかのコミュニケーション・セッションを示す。
【００８６】
第１実施例において、第１ターミナル（１２ａ）は、音声信号及び／又はビデオ信号を送信し、これらは、例えば、ＡＭＲコーデック及び／又はＭＰＥＧ−４コーデック、それぞれでコード化されている。第２ターミナル（１２ｂ）は、例えば、ＡＭＲコーデック及び／又はＭＰＥＧ−４コーデックの受信をサポートする。結果として、音声チャネル及び／又はビデオチャネルが構築され、これらのチャネルは、音声信号及び／又はビデオ信号を第２ターミナル（１２ｂ）へ発信することができる。
【００８７】
第２実施例において、第１ターミナル（１２ａ）は、音声信号及び／又はビデオ信号を送り、これらの信号は、例えば、ＡＭＲコーデック及び／又はＨ．２６４コーデックにそれぞれコード化されている。第２ターミナル（１２ｂ）は、音声信号のＡＭＲコーデックをサポートするが、ビデオ信号のためのＨ．２６４コーデックをサポートすることはできない。結果として、音声チャネルが構築され、このチャネルにより音声信号が第２ターミナル（１２ｂ）へ送信され得る。ビデオ信号を送信するためのビデオチャネルは、交渉されなければならない。この理由は、第２ターミナルがＨ．２６４コーデックをサポートすることができないからである。もし、第２ターミナル（１２ｂ）が、ＭＰＥＧ−４コーデックをサポートする場合、第１ターミナル（１２ａ）が、第２ターミナル（１２ｂ）から入るＴＣＳメッセージを受信して、そして、出力ビデオ信号を、Ｈ．２６４コーデックからＭＰＥＧ−４コーデックへスイッチすると、１往復の半分の遅延が起こる。この交渉のために、ビデオ送信の構築が、第１ターミナル（１２ａ）から第２ターミナル（１２ｂ）へのビデオ方向おいて、１往復の半分だけ遅延する。反対の方向のビデオ送信は、遅延無く直に構築される。
【００８８】
第３実施例において、第１ターミナル（１２ａ）は、スタッフィングのための任意のヘッダを備えたレベル２で、データ及び／又はメディアを送信する。第２ターミナル（１２ｂ）は、任意のヘッダを備えないレベル２でデータ及び／又はメディアを送信する。第１ターミナル（１２ａ）及び第２ターミナル（１２ｂ）は、ヘッダが含まれるかどうかに関わらず、最初のＡ／ＶＰＤＵを分析する必要がある。この方法によると、ビデオ・ファントム・チャネル（３２）及び／又は音声ファントム・チャネル（３４）は、第１ターミナル（１２ａ）及び第２ターミナル（１２ｂ）の間の両方向で構築される。第２ターミナルからの制御／送信メッセージ（３０）の受信時に、第１ターミナル（１２ａ）は、第２ターミナル（１２ｂ）が、任意のヘッダを有するレベル２を使用したがらないことを発見し、そして、前記第１ターミナル（１２ａ）は、その送信を修正して前記任意のヘッダを取り除く。
【００８９】
第４実施例において、第１ターミナル（１２ａ）は、音声信号及び／又はビデオ信号を送信し、これらの信号は、例えば、ＡＭＲコーデック及び／又はＭＰＥＧ−４コーデックに、それぞれコード化される。第２ターミナル（１２ｂ）は、例えば、ＡＭＲコーデック及び／又はＭＰＥＧ−４コーデックの受信をサポートする。結果として、音声ファントム・チャネル（３２）及び／又はビデオファントム・チャネル（３４）が構築され、これらチャネルは、音声信号及び／又はビデオ信号を第２ターミナル（１２ｂ）へ送信するチャネルである。第１ターミナル（１２ａ）はそれから、Ｈ．２４５ＯＬＣ・ネゴシエーション・メッセージを使用して、ビデオ・ファントム・チャネル（３２）及び／又は音声ファントム・チャネル（３４）を置き換えることを選択する。結果として、交渉Ｈ．２４５ＯＬＣは、ビデオ・ファントム・チャネル（３２）及び／又は音声ファントム・チャネル（３４）を置き換える。このようなネゴシエーションは、原則として、Ｈ．２４５に限定されず、他の効果的な技術を使用して、置換チャネルを交渉してもよい。
【００９０】
第５実施例において、第２ターミナル（１２ｂ）は、第１ターミナル（１２ａ）へ、ファントム・チャネルを使用して、データ及び／又はメディアの送信を始める。第１ターミナル（１２ａ）は、レガシー・ターミナルであってもよく、このレガシー・ターミナルは、ファントム・チャネルの構築をサポートしない。第１ターミナル（１２ａ）は、ＴＣＳ及び／又はＭＳＤを第２ターミナル（１２ｂ）へ、第２ターミナル（１２ｂ）と同期することなく、発信する及び／又は送信してもよい。第２ターミナル（１２ｂ）は、第１ターミナル（１２ａ）がファントム・チャネルの構築をサポートしないと判断し、１往復の半分以内でこの決定を行ってもよい。結果として、第２ターミナル（１２ｂ）は、ファントム・チャネルのデータ及び／又はメディアの送信を終了させる。ターミナル（１２ａ）、（１２ｂ）は、ＴＣＳ及び／又はＭＳＤを交換する、及び／又は標準Ｈ．２４５ＯＬＣネゴシエーションを使用して処理する。このネゴシエーションにおいて、再送信プロトコルＷＮＳＲＰ及び／又は他の強化型コール・セットアップ・メカニズムが使用されてもよい。結果として、交渉Ｈ．２４５ＯＬＣのものがターミナル（１２ａ）と（１２ｂ）の間で構築される。
【００９１】
第６実施例において、第１ターミナルは呼交渉促進プロトコル・ストリームを第２ターミナル（１２ｂ）へ送信する。第２ターミナル（１２ｂ）は、この呼交渉促進プロトコル・ストリームの受信をサポートし、制御／送信メッセージ（３０）においてこのようなサポートを指示する。前記制御／送信メッセージ（３０）とは、第２ターミナル（１２ｂ）から第１ターミナル（１２ａ）へ送られるメッセージである。制御／送信メッセージ（３０）を受信すると、第１ターミナル（１２ａ）は、第２ターミナル（１２ｂ）が、メディアコーデックを交渉するために、前記呼交渉促進プロトコル・ストリームを許容することができる、処理することができる、及び／又は使用することができる。この方法によると、第１ターミナル（１２ａ）及び第２ターミナル（１２ｂ）の両方は、他の初期メディア送信を廃止する、及び／又はその代わりに、前記初期メディア・チャネルの構築のための促進コール制御ネゴシエーション・プロトコルに依存する。
【００９２】
理解のしやすさを考慮して、上記の記載及び実施例において、メディア又は他のデータ、第１に、例えば、第１ターミナル（１２ａ）から第２ターミナル（１２ｂ）であるような、１方向のフローに焦点を当てている。記載される概念、メッセージ、及びデータのフローは、両方向において適用可能であり、双方向性のデータフローは、ここで記載した考えの主用途である。
【００９３】
さらに、ここで述べた好適な実施例に対する様々な変更及び修正は、当業者にとって明らかなものである。本発明の趣旨及び範囲を逸脱しない限り、またその付随する利点を弱めない限り前記変更及び修正は行われ得る。従って、このような変更及び修正は、添付の請求項により網羅されるものである。
【図面の簡単な説明】
【００９４】
【図１】本発明の実施形態のシステムにより使用される情報交換を示す。
【図２】[Ａ]本発明の実施形態におけるデータ送信のための時間記録を示す。[Ｂ]本発明の実施形態におけるデータ送信のための時間記録を示す。
【図３】本発明の実施形態におけるデータ送信を示す。
【図４】本発明の実施形態におけるシステムのためのコーデックを示すテーブルである。
【図１】
0005394735.tif 000002
【図２】
0005394735.tif 000003
【図３】
0005394735.tif 000004
【図４】
0005394735.tif 000005